(57)【要約】      （修正有）【課題】雨の日歩行時や電車内の座席で両手を使いたいときにおいて、傘を持つ煩わしさを解消し、両手を使えることを可能とする傘袋の提供。【解決手段】傘袋１に金具５とクリップ取付用タブ４に取り付けられた鞄の持ち手に装着するためのクリップ６を有し、傘袋１底部は水抜き穴が開いた傘の先端部が入る長細いプラスチック容器７ａに取り付けられた半円型のゴム８ａとで構成され、或いは、傘袋１底部は水抜き穴が開いた傘の先端部が入るジャバラ用シリコンカップ７ｂに取り付けられた円形のシリコンシート８ｂで構成される。【選択図】図１
0003203548.tif 000002
【実用新案登録請求の範囲】
【請求項１】
撥水加工の生地で作られた傘袋の底部に水抜き用の穴があいた滑り止めゴムをつけ、傘袋上端部にクリップを取り付けることで、鞄の持ち手部分に装着し、電車内の座席で傘を持ったまま座らずにすむことを可能にする傘袋。
【請求項２】
請求項１の傘袋において、底部の水抜き用の穴があいた滑り止め用の半円ゴムの上に、水抜き用の穴があいたプラスチックの長細い容器が取り付けられている傘袋。
【請求項３】
請求項１の傘袋において、底部の水抜き用の小さい穴が複数あいた円形のシリコンシートの上に、ジャバラ式のシリコンカップが取り付けられている傘袋。
【請求項４】
請求項１の傘袋において、傘袋上端部のクリップを鞄の持ち手部分に装着したまま、歩いて移動が可能な傘袋。
【請求項５】
請求項１の傘袋において、折り畳んで付属の傘袋と同生地で作られた携帯用傘袋ケースに収納し、クリップを鞄持ち手に装着したままコンパクトに持ち運びが可能な傘袋。
【考案の詳細な説明】
【技術分野】
【０００１】  本考案は、鞄に装着するためのクリップと底面に滑り止めゴムがついた傘袋に関するものである。
【背景技術】
【０００２】  従来の傘袋は、手で持ち歩く、又は肩に下げて持ち歩く目的で作られており、ナイロンやビニール生地など床に置くと滑りやすい生地で全面作られているものが一般的である。
［特許文献１］［特許文献２］【０００３】  しかし、従来の傘袋では、電車などで座っている際、本を読んだり、スマートフォンやタブレット端末などを使用したり、両手を使いたいとき片手が傘でふさがった状態になり、両手を離すことができないという欠点があった。【０００４】  鞄に傘袋をくくりつけたとしても、傘の先端は細くなっており、傘袋の底は滑る生地でできているため、傘袋が床で滑り周囲の人に迷惑がかかる。
結果、両足で傘を挟むか、電車の座席の端に座り、手すりにかけるしか方法がないが、手すりにかけてそのまま傘を忘れてしまう人も少なくない。両足で挟んだまま座っているのも、特に女性にとっては非常に不便なものであった。【０００５】  この改善策として、傘袋に鞄の持ち手に装着するためのクリップをとりつけ、さらに傘袋の底面に滑り止めゴムをつける方法がある。
図１は、この方法による傘袋の平面説明図である。
【先行技術文献】
【特許文献】
【特許文献１】実用新案登録第３１２１６２２号
【特許文献２】特開２０１２−０２４２０８号
【非特許文献】
【考案の概要】
【考案が解決しようとする課題】
【０００６】  解決しようとする問題点は、雨の日電車内の座席で両手を使いたいときにおいて、従来の傘袋では両手を離すことができない点である。
【課題を解決するための手段】
【０００７】  本考案は、傘袋を電車内で鞄に装着し、両手を離した状態でも安定する状態を可能とするために、傘袋の鞄への固定と傘袋底面の床への安定を最も主要な特徴とする。
【考案の効果】
【００８】  本考案の傘袋は、傘袋上端部に取り付けられているクリップで傘袋の持ち手に装着することができ、電車の床でも滑ることがないため、電車内の座席で傘を持ったままでいる必要がないという利点がある。
【図面の簡単な説明】
【００９】
【図１】本考案の実施例１及び実施例２における斜視図である。
【図２】本考案の実施例１及び実施例２における傘袋に傘を収納した状態を示す図である。
【図３】本考案の実施例１における電車内での動作説明図である。
【図４】本考案の実施例２における電車内での動作説明図である。
【図５】本考案の歩行時の動作説明図である。
【図６】本考案の傘袋を折り畳んで付属の携帯用傘袋ケースに収納した図である。
【考案を実施するための形態】
【００１０】  電車内で座席に座っているとき傘を持たずに両手を使える状態、また歩いて移動する際も鞄に装着したまま傘を持たずに移動するという目的を、軽量の部品で重さや煩わしさのない状態で更に、ファッション性のあるクリップを装着することでファッション性の向上も実現した。
【実施例１】
【００１１】  傘袋１の底部に、傘の先端部が入る長細いプラスチック容器７ａに半円型のゴム８ａを付けたものを装着することで、傘袋が滑るのを防止。【００１２】  プラスチック容器７と半円型ゴム８ａの真ん中には小さな水抜き用の穴９ａが開いており、傘袋に水が溜まらないよう水はけを良くしている。【００１３】  また、傘袋１の上部端にクリップ６を金具５とクリップ取付用タブ４に装着し、鞄の持ち手にクリップ６で装着することを可能にする。【００１４】  傘袋１の上部絞り口には紐２を通してあり、コードストッパー３で傘袋上部をしぼって、傘袋から傘が出てこないように固定する。【００１５】  傘袋は折り畳んで付属の携帯用傘袋収納ケース１０に収納し、ボタン１１で傘袋収納ケースにフタをし、鞄の持ち手にクリップ６で装着した状態で持ち運ぶことが可能。
【実施例２】
【００１６】  図の１〜６、１０、１１は実施例１と同様。【００１７】  傘袋１の底部に傘の先端部が入る円形のジャバラ式シリコンカップ７ｂとシリコンシート８ｂを装着することで、傘袋が滑るのを防止。【００１８】  ジャバラ式シリコンカップは傘袋を折りたたんで収納する際、ジャバラ部分を畳んでコンパクトに収納することが可能。【００１９】  シリコンシート８ｂとジャバラ式シリコンカップ７ｂには小さな水抜き用の穴９ｂが複数あいている。【００２０】  ［実施例１］［実施例２］ともに、底部には水と汚れに強い軽量の部品を使用することで、水はけが良く、荷物になる負担を軽減している。【００２１】  このような形態を実装することで、傘袋を鞄に装着することができ、電車内で傘袋が床で滑ることもなくなり、常に片手を傘でふさがれる煩わしさが解消され、また傘の置き忘れの防止にもつながり、更に傘袋使用後は、折り畳んで携帯用傘袋ケースに収納し、クリップで鞄の持ち手に装着することで、鞄内の荷物を増やすことなく、鞄内を濡らすことなく持ち運びができる。
【産業上の利用可能性】
【００２２】  本考案の傘袋は、傘袋に取り付けられたクリップで鞄の持ち手に傘袋を装着でき、かつ傘袋底部の滑り止めゴムにより床で傘袋が滑ることを防げるため、雨の日、常に片手を傘でふさがれる煩わしさを解消でき、電車内で両手を使って本を読んだり、スマートフォンやタブレットの使用も可能になり、また傘の置き忘れ防止にもつながる。
【符号の説明】
【００２３】１    傘袋
２    紐
３    コードストッパー
４    クリップ取り付け用タブ
５    金具
６    クリップ
７ａ  プラスチック容器
８ａ  半円型ゴム
９ａ  水抜き穴
７ｂ  ジャバラ式シリコンカップ
８ｂ  シリコンシート
９ｂ  水抜き穴
１０  携帯用傘袋ケース
１１  ボタン
【図１】
0003203548.tif 000003
【図２】
0003203548.tif 000004
【図３】
0003203548.tif 000005
【図４】
0003203548.tif 000006
【図５】
0003203548.tif 000007
【図６】
0003203548.tif 000008